(57)【要約】【課題】玉貸し機などの遊技媒体貸し出し手段を低廉にでき，紙幣やカードに比べて搬送が容易で破損や偽造の心配も少ない金銭代用円盤状体を利用した遊技システムを提供する。【解決手段】  後に変更できない状態で製造段階にＩＤコードを記憶させたメモリ２を内蔵した金銭代用の円盤状体Ｃを利用した遊技システム１０である。金銭の投入により金銭代用円盤状体Ｃを貸し出す円盤状体貸し出し手段１４と，金銭代用円盤状体Ｃの投入により遊技媒体を貸し出す遊技媒体貸し出し手段１３と，遊技媒体を利用して遊技を行う遊技手段１２と，金銭代用円盤状体Ｃの投入により金銭を払い戻す精算手段１５と，ＩＤコードに基づいて遊技媒体貸し出し手段１４及び精算手段１５を制御する制御手段１６を備える。【選択図】図２
2006212454.tif 000002
【特許請求の範囲】
【請求項１】
後に変更できない状態で製造段階に固有のＩＤコードを記憶させたメモリを内蔵している金銭代用円盤状体を利用した遊技システムであって，所定の金額の金銭の投入により金銭代用円盤状体を貸し出す円盤状体貸し出し手段と，金銭代用円盤状体の投入により所定量の遊技媒体を貸し出す遊技媒体貸し出し手段と，遊技媒体を利用して遊技を行う遊技手段と，金銭代用円盤状体の投入により所定の金額の金銭を払い戻す精算手段と，ＩＤコードに基づいて遊技媒体貸し出し手段及び精算手段を制御する制御手段を備えることを特徴とする，遊技システム。
【請求項２】
前記遊技媒体貸し出し手段は，金銭代用円盤状体が投入された際に，前記所定の金額の金銭に対応した量の遊技媒体を貸し出すことを特徴とする，請求項１の遊技システム。
【請求項３】
前記遊技媒体貸し出し手段は，金銭代用円盤状体が投入された際に，前記所定の金額の金銭に対応した量の範囲内で選択された量の遊技媒体を貸し出すことを特徴とする，請求項１の遊技システム。
【請求項４】
前記遊技媒体貸し出し手段に投入された金銭代用円盤状体及び／又は前記精算手段に投入された金銭代用円盤状体を前記円盤状体貸し出し手段に搬送する搬送手段を備えることを特徴とする，請求項１，２又は３のいずれかの遊技システム。
【発明の詳細な説明】
【技術分野】
【０００１】
本発明は，例えばパチンコホールやゲームセンターの如き遊技店に好適に適用される，金銭代用円盤状体を利用した遊技システムに関する。
【背景技術】
【０００２】
一般にパチンコホールの如き遊技店では，金銭と引き替えにパチンコ玉やメダルなどの遊技媒体を貸し出し，顧客は貸し出された遊技媒体を用いて遊技を行う。このような遊技媒体の貸し出しを行う遊技媒体貸し出し手段として，従来から種々の玉貸し機やメダル貸し機が利用されている。そして顧客は，遊技後にパチンコ台やスロットマシンなどの遊技手段から払い出されたパチンコ玉やメダルを計数機に投入し，その数に応じて景品を取得することができる。
【０００３】
ここでパチンコ台を例にして説明すると，パチンコ島に並べられたパチンコ台の間には台間玉貸し機が配置されている。またパチンコ島の内部には，各パチンコ台や台間玉貸し機にパチンコ玉を供給する供給樋や各パチンコ台で回収されたパチンコ玉を回収する回収樋，各台間玉貸し機から島端部のストック部まで金銭等を搬送するコンベアなどが設けられている。
【０００４】
そして顧客は，台間玉貸し機に硬貨や紙幣を投入してパチンコ玉を借り受け，遊技を行う。また最近では，会計管理の利便性や収支の明確化などため，パチンコホールの如き遊技場においてパチンコホール用プリペードカードが普及してきている。その場合は，顧客は硬貨や紙幣の代わりにパチンコホール用プリペードカードを台間玉貸し機に挿入してパチンコ玉を借り受けることも可能である。そして台間玉貸し機に投入された硬貨や紙幣，使用済みのパチンコホール用プリペードカードはコンベアによって島端部のストック部などに搬送され，回収される。
【０００５】
ここで図１５は，一例としてパチンコ島の内部に設けられた紙幣Ｅのコンベア２００を示している。即ち，台間玉貸し機２０１前面の投入口２０２から投入された紙幣Ｅは，識別機２０３で識別された後，パチンコ島内部のコンベア２００に受け渡される。コンベア２００は左右一対のコンベアベルト２０４，２０４を隣接した構成を有しており，これらコンベアベルト２０４，２０４の間で紙幣Ｅを挟んで，例えばパチンコ島の端部に設けられたストック部などまで紙幣Ｅを搬送するようになっている。
【発明の開示】
【発明が解決しようとする課題】
【０００６】
しかしながら，紙幣用の識別機は高価であり，台間玉貸し機全体の値段も相当に高額となる。またそのような高価な玉貸し機をパチンコ島において各パチンコ台の間に多数配置するのでは，パチンコホールの構築コストが非常に高くなってしまう。また紙幣やパチンコホール用プリペードカードは硬貨に比べて軽くて大きいので搬送しづらく，更に紙幣やパチンコホール用プリペードカードを搬送するコンベアは構造が複雑でメンテナンスも容易でなく，設置コストがより高くなってしまう。
【０００７】
また従来のパチンコホール用プリペードカードは折れ曲がりやすく，まだ金額が残っているにもかかわらず破損して使えなくなることもあった。またパチンコホール用プリペードカードは磁気によって金額などを記憶しているが，磁気記憶のカードは偽造されやすいといった問題があった。
【０００８】
本発明の目的は，玉貸し機などの遊技媒体貸し出し手段を低廉にでき，紙幣やカードに比べて搬送が容易で破損や偽造の心配も少ない金銭代用円盤状体を利用した遊技システムを提供することにある。
【課題を解決するための手段】
【０００９】
この目的を達成するために，請求項１の発明は，後に変更できない状態で製造段階にＩＤコードを記憶させたメモリを内蔵している金銭代用の円盤状体を利用した遊技システムであって，所定の金額の金銭の投入により金銭代用円盤状体を貸し出す円盤状体貸し出し手段と，金銭代用円盤状体の投入により所定量の遊技媒体を貸し出す遊技媒体貸し出し手段と，遊技媒体を利用して遊技を行う遊技手段と，金銭代用円盤状体の投入により所定の金額の金銭を払い戻す精算手段と，ＩＤコードに基づいて遊技媒体貸し出し手段及び精算手段を制御する制御手段を備えることを特徴としている。
【００１０】
この請求項１の遊技システムは，例えばパチンコホールやゲームセンターの如き遊技店で好適に適用することができる。
【００１１】
この請求項１の遊技システムにおいて利用される金銭代用円盤状体は，例えば合成樹脂などを円盤形状（コイン形状）に成形することによって構成され，その表面には印刷などを施すこともでき，また表面の色を所望の色に着色したり，遊技店の店名やマーク等を付すことも可能である。合成樹脂などで成形された金銭代用コインは耐久性に優れ，汚れた場合は，洗浄機などで洗うことができる。
【００１２】
金銭代用円盤状体に内蔵されるメモリには，製造段階で適当なＩＤコードを記憶させ，記憶内容は後に変更できないようにする。そうすれば，偽造を効果的に防止できるようになる。この場合，ＩＤコードを暗号化処理して記憶すれば，偽造はほとんど不可能となる。このメモリとしては，例えばマスクＲＯＭを用いることができる。
【００１３】
この請求項１の遊技システムにおいて，遊技媒体貸し出し手段から貸し出される遊技媒体とは，例えばパチンコ玉やスロットマシン等のゲーム機で使用されるメダルなどである。
【００１４】
この遊技システムにあっては，遊技場に入場した顧客は先ず円盤状体貸し出し手段に所定の金額の金銭を投入し，金銭代用円盤状体を借り受ける。またこのように金銭代用円盤状体を貸し出した場合は，その金銭代用円盤状体のＩＤコードが制御手段に入力され，制御手段は当該ＩＤコードを記憶し，当該ＩＤコードを持った金銭代用円盤状体が貸し出されたことを認識する。
【００１５】
次に顧客は，例えば自分の気に入った遊技手段を選ぶなどし，遊技媒体貸し出し手段に金銭代用円盤状体を投入する。すると遊技媒体貸し出し手段は，投入された金銭代用円盤状体のＩＤコードを読み取り，そのＩＤコードを制御手段に入力する。すると制御手段は，そのＩＤコードが，円盤状体貸し出し手段から貸し出されている金銭代用円盤状体のＩＤコードであるか否かを識別する。なお，このＩＤコードによって地域や遊技店，当日限りの有効期限等を識別しても良い。そして，ＩＤコードが正しい（円盤状体貸し出し手段から貸し出されている金銭代用円盤状体のＩＤコードである）と判定した場合は，遊技媒体貸し出し手段に作動信号を発し，遊技媒体貸し出し手段は遊技媒体を所定量の貸し出す。これにより，顧客は遊技媒体貸し出し手段から遊技媒体を借り受け，その借り受けた遊技媒体を利用して，遊技手段において遊技を行うことができる。一方，ＩＤコードが正しくない（円盤状体貸し出し手段から貸し出されている金銭代用円盤状体のＩＤコードでない）と判定した場合は，遊技媒体貸し出し手段に停止信号を発し，遊技媒体貸し出し手段は遊技媒体を貸し出さない。この場合，円盤状体貸し出し手段から貸し出された金銭代用円盤状体であっても当日限りの有効期限が過ぎたものについては，遊技媒体を貸し出さないようにすることもできる。
【００１６】
そして，遊技終了後においても金銭代用円盤状体を所持している顧客は，不要となった金銭代用円盤状体を精算手段に投入する。すると精算手段は，投入された金銭代用円盤状体のＩＤコードを読み取り，そのＩＤコードを制御手段に入力する。すると制御手段は，そのＩＤコードが，円盤状体貸し出し手段から貸し出されている金銭代用円盤状体のＩＤコードであるか否かを識別する。そして，ＩＤコードが正しい（円盤状体貸し出し手段から貸し出されている金銭代用円盤状体のＩＤコードである）と判定した場合は，精算手段に作動信号を発し，精算手段は所定の金額の金銭を顧客に払い戻す。これにより，顧客は使わなかった金銭代用円盤状体を精算することができる。一方，ＩＤコードが正しくない（円盤状体貸し出し手段から貸し出されている金銭代用円盤状体のＩＤコードでない）と判定した場合は，精算手段に停止信号を発するなどし，精算手段は金銭の払い戻しを行わない。この場合，円盤状体貸し出し手段から貸し出された金銭代用円盤状体であっても当日限りの有効期限が過ぎたものについては，金銭の払い戻しを行わないようにすることもできる。
【００１７】
この請求項１の遊技システムにおいて，請求項２に記載したように，前記遊技媒体貸し出し手段は，金銭代用円盤状体が投入された際に，前記所定の金額の金銭に対応した量の遊技媒体を貸し出すものであっても良く，また請求項３に記載したように，前記遊技媒体貸し出し手段は，金銭代用円盤状体が投入された際に，前記所定の金額の金銭に対応した量の範囲内で選択された量の遊技媒体を貸し出すものであっても良い。その場合，残額などを表示するようにしても良い。
【００１８】
また請求項４に記載したように，前記遊技媒体貸し出し手段に投入された金銭代用円盤状体や前記精算手段に投入された金銭代用円盤状体を前記円盤状体貸し出し手段に搬送する搬送手段を備えていても良い。この場合，搬送手段は金銭代用円盤状体を搬送できれば十分であるので，従来のように紙幣やカード等を搬送しなければならない複雑なコンベアに比べて構造が簡単で安価な搬送手段で済むようになる。
【発明の効果】
【００１９】
金銭代用コインは，紙幣やカードに比べて搬送が容易で破損や偽造の心配も少なく，請求項１〜４によれば，低廉でメンテナンスが容易な遊技システムを提供することができる。
【発明を実施するための最良の形態】
【００２０】
以下，本発明の好ましい実施の形態を図面を用いて説明する。図１は，本発明において利用される金銭代用円盤状体（以下，「コイン」という）Ｃの内部構造を示す説明図である。
【００２１】
このコインＣは，全体として円盤形状を有しており，その内部には非接触データキャリアである電子部品１を内蔵している。電子部品１は，ＩＤコードを記憶したメモリ２を回路基板３に実装すると共に，メモリ２を駆動する電気エネルギーを外部より受け取り，かつメモリ２に記憶されたＩＤコードを電波を媒体として送信するためのアンテナコイル４を備えた構成になっている。そして，これらメモリ２，回路基板３及びアンテナコイル４を備えた電子部品１を合成樹脂などでパッケージすることによってコインＣが構成されている。
【００２２】
メモリ２には，その製造段階で通し番号等の固有のＩＤコードが焼き付けられており，記憶内容は後に変更できないようになっている。メモリ２は，データの書き込みが不可能な読み出し専用メモリ（ＲＯＭ）であり，例えばマスクＲＯＭが使用される。ＩＤコードの他に，国別コード，地域別コード，店別コードなどといった各種コードもメモリ２に記憶しておいても良い。また一方，メモリ２に記憶されたこのＩＤコードをもとに，後述する管理サーバ１６によって地域や店名，使用期限（当日限りなど）を識別することも可能である。
【００２３】
次に図２は，コインＣを利用した本発明の第１の実施の形態にかかる遊技システム１０の全体構成を概略的に示す説明図である。図示の実施の形態では，遊技店の一例としてパチンコホールに本発明を適用したシステムを示している。
【００２４】
パチンコ島１１には，遊技手段としてのパチンコ台１２が複数台並べられており，各パチンコ台１２の間には，遊技媒体貸し出し手段としての台間玉貸し機（以下，単に「玉貸し機」という）１３がそれぞれ配置されている。パチンコ島１１の一端部には，円盤状体貸し出し手段としてのコイン貸し機１４が配置されている。また図２に示す例では，パチンコ島１１の他端部に，精算手段としてのコイン精算機１５が配置されている（なお，コイン精算機１５をパチンコ島１１から離れた位置に配置しても良い）。そして，これらパチンコ台１２，玉貸し機１３，コイン貸し機１４，コイン精算機１５等は制御手段としての管理サーバ１６によって制御されている。また管理サーバ１６には出力装置（プリンター）１７が接続されている。
【００２５】
図３は，パチンコ島１１の正面図である。この図３に示す例では，パチンコ島１１の両端部にコイン貸し機１４とコイン精算機１５が配置されている。パチンコ島１１の内部には，パチンコ台１２の間に配置された各玉貸し機１３で回収されたコインＣや精算機１５で回収されたコインＣをコイン貸し機１４に搬送する搬送手段としてのコインコンベア２２が設けられている。
【００２６】
図４は，コイン貸し機１４の内部構造の説明図である。コイン貸し機１４の前面（図４においてコイン貸し機１４の左側面）において，上方に金銭（例えば紙幣Ｅ）の投入口３０が設けられ，下方にコインＣの排出口３１が設けられている。投入口３０の内側には，紙幣Ｅの真偽を識別する紙幣識別機３２が設けられている。そして，投入口３０に投入された紙幣Ｅが真正である場合は，その紙幣Ｅを内部に引き込んで紙幣識別機３２の下方に配置された金銭ストッカー３３に投入し，一方，投入口３０に投入された紙幣Ｅが真正でない場合は，その紙幣Ｅを再び投入口３０を経て外部に返却するようになっている。
【００２７】
排出口３１には，コイン貸し機１４の内部において排出口３１よりも上方に配置されたコインストッカー３５から自重でコインＣを落下させる通路３６が接続されている。通路３６の途中にはゲート３７とＩＤコードのリーダー３８が設けられており，ゲート３７の開閉動作は，先に説明した紙幣識別機３２から入力される信号によって制御されている。図示はしないが，リーダー３８は先に図１で説明したコインＣに内蔵されているメモリ２を駆動させる電気エネルギーを送信すると共にメモリ２に記憶されたＩＤコードを電波を媒体として受信するための送受信アンテナや，受信したＩＤコードを読み取るＩＤコード読み取り部を備えている。
【００２８】
投入口３０に投入された紙幣Ｅが真正である場合は，紙幣識別機３２から「開」の信号がゲート３７に入力され，これにより，コインストッカー３５に貯められているコインＣが通路３６を経て排出口３１に所定枚数排出される。この実施の形態では，投入口３０に１０００円の紙幣Ｅが投入されて，それが紙幣識別機３２によって識別された場合は，排出口３１から一枚のコインＣが排出されるようになっている。また，この排出の途中でコインＣがリーダー３８を通過する際に，コインＣに内蔵されたメモリ２からＩＤコードが読み取られて，そのＩＤコードが先に図２で説明した管理サーバ１６に送られる。管理サーバ１６は，こうして入力されたＩＤコードを記憶し，当該ＩＤコードを持ったコインＣが貸し出されたことを認識するようになっている。一方，投入口３０に投入された紙幣Ｅが真正でない場合は，ゲート３７は閉じたままであり，コインＣは排出されない。
【００２９】
先に図３で説明したように各玉貸し機１３やコイン精算機１５から回収されてパチンコ島１１の内部においてコインコンベア２２によって搬送されたコインＣは，コイン貸し機１４内部のコインストッカー３５に供給されるようになっている。これにより，コインストッカー３５には常にコインＣが入った状態になっている。
【００３０】
図５は玉貸し機１３の斜視図であり，図６は玉貸し機１３の内部構造の説明図である。玉貸し機１３の前面には，上から順にコインＣの投入口４０，コインＣの返却口４１，パチンコ玉の排出口４２が設けられている。図６に示すように，投入口４０に投入されたコインＣは通路４５を経て自重でコイン識別機４６に落下するようになっている。図示はしないが，コイン識別機４６は，先に図１で説明したコインＣに内蔵されているメモリ２を駆動させる電気エネルギーを送信すると共にメモリ２に記憶されたＩＤコードを電波を媒体として受信するための送受信アンテナや，受信したＩＤコードを読み取るＩＤ読み取り部を備えている。そして，投入口４０及び通路４５を経てコイン識別機４６にコインＣが投入され，コイン識別機４６によってＩＤコードを読み取ると，そのＩＤコードを先に図２で説明した管理サーバ１６に送るようになっている。管理サーバ１６は，こうして送信されたＩＤコードが，貸し出し中のコインＣに一致するか否かを確認し，ＩＤコードが正しい（貸し出し中のコインＣのＩＤコードである）ことを確認した場合は，コイン識別機４６に「回収」の信号を送ると共に，後に説明する定量移出機構５２に「排出」の信号を入力するようになっている。また，こうして「回収」の信号を受け取ったコイン識別機４６は，通路４７を経て自重でコインＣを落下させて，パチンコ島１１内部のコインコンベア２２にコインＣを受け渡すようになっている。
【００３１】
一方，投入口４０から投入されたコインＣについて，コイン識別機４６がＩＤコードを読み取れなかった場合や，コイン識別機４６によってＩＤコードを読み取ったが，そのＩＤコードが管理サーバ１６において記憶されている貸し出し中のコインＣのＩＤコードに一致しなかった場合は，管理サーバ１６はコイン識別機４６に「返却」の信号を送り，この場合は，定量移出機構５２には「排出」の信号を送らない。また，こうして「返却」の信号を受け取ったコイン識別機４６は，通路４８を経て自重でコインＣを落下させて，玉貸し機１３前面の返却口４１にコインＣを排出させるようになっている。
【００３２】
排出口４２には，パチンコ玉を自重によって供給する通路５１が接続されている。通路５１の途中には，例えばスターホイルなどによって構成される定量移出機構５２が設けられており，この定量移出機構５２の動作は，先に図２で説明した管理サーバ１６によって制御されている。そして管理サーバ１６は，コイン識別機４６から送信されたＩＤコードが正しいことを確認した場合は，定量移出機構５２に「排出」の信号を入力し，これにより，パチンコ玉が通路５１を経て排出口４２に定量排出されるようになっている。この実施の形態では，管理サーバ１６から「排出」の信号が定量移出機構５２に入力された場合は，１０００円分のパチンコ玉が排出口４２から排出されるようになっている。一方，投入口４０に投入されたコインＣよって正しいＩＤコードが識別されなかった場合は，定量移出機構５２はパチンコ玉を排出させない。
【００３３】
図７は，コイン精算機１５の内部構造の説明図である。コイン精算機１５の前面（図７においてコイン精算機１５の左側面）において，上から順にコインＣの投入口６０，コインＣの返却口６１，金銭（例えば紙幣Ｅ）の支払い口６２が設けられている。投入口６０に投入されたコインＣは通路６３を経て自重でコイン識別機６４に落下するようになっている。図示はしないが，このコイン識別機６４も，先に図４で説明したコイン識別機４６と同様に，コインＣに内蔵されているメモリ２を駆動させる電気エネルギーを送信すると共にメモリ２に記憶されたＩＤコードを電波を媒体として受信するための送受信アンテナや，受信したＩＤコードを読み取るＩＤ読み取り部を備えている。そして，投入口６０及び通路６３を経てコイン識別機６４にコインＣが投入され，コイン識別機６４によってＩＤコードを読み取ると，そのＩＤコードを先に図２で説明した管理サーバ１６に送るようになっている。管理サーバ１６は，こうして送信されたＩＤコードが，貸し出し中のコインＣに一致するか否かを確認し，ＩＤコードが正しい（貸し出し中のコインＣのＩＤコードである）ことを確認した場合は，コイン識別機６４に「回収」の信号を送ると共に，後に説明する支払い装置６７に「支払い」の信号を入力するようになっている。また，こうして「回収」の信号を受け取ったコイン識別機６４は，通路６５を経て自重でコインＣを落下させて，パチンコ島１１内部のコインコンベア２２にコインＣを受け渡すようになっている。
【００３４】
一方，投入口６０から投入されたコインＣについて，コイン識別機６４がＩＤコードを読み取れなかった場合や，コイン識別機６４によってＩＤコードを読み取ったが，そのＩＤコードが管理サーバ１６において記憶されている貸し出し中のコインＣのＩＤコードに一致しなかった場合は，管理サーバ１６はコイン識別機６４に「返却」の信号を送り，この場合は，支払い装置６７には「支払い」の信号を送らない。また，こうして「返却」の信号を受け取ったコイン識別機６４は，通路６６を経て自重でコインＣを落下させて，コイン精算機１５前面の返却口６１にコインＣを排出させるようになっている。
【００３５】
支払い口６２の内側には，金銭（例えば紙幣Ｅ）の支払いを行う支払い装置６７が設けられている。この支払い装置６７の動作は，先に図２で説明した管理サーバ１６によって制御されている。そして管理サーバ１６は，コイン識別機６４から送信されたＩＤコードが正しいことを確認した場合は，支払い装置６７に「支払い」の信号を入力し，これにより，投入されたコインＣの枚数に応じた紙幣Ｅが払い出し口６２を経て支払われるようになっている。この実施の形態では，一枚のコインＣに対して１０００円分の金銭（例えば千円札一枚）が支払われるようになっている。一方，投入口６０に投入されたコインＣよって正しいＩＤコードが識別されなかった場合は，支払い装置６７は支払いを行わない。
【００３６】
さて，以上のように構成された本発明の第１の実施の形態にかかる遊技システム１０にあっては，パチンコホールに入場した顧客は先ずコイン貸し機１４の投入口３０に金銭（例えば紙幣Ｅ）を投入する。そして，投入口３０に投入された紙幣Ｅが真正であると紙幣識別機３２が識別した場合は，その紙幣Ｅを内部に引き込んで金銭ストッカー３３に搬送すると共に，紙幣識別機３２から「開」の信号がゲート３７に入力されて，所定枚数のコインＣが排出口３１に排出される。本実施の形態では，投入口３０に１０００円の金銭（例えば１０００円札紙幣Ｅ）が一枚投入されると，排出口３１から一枚のコインＣが排出される。また，この排出の途中でコインＣがリーダー３８を通過する際に，コインＣに内蔵されたメモリ２からＩＤコードが読み取られて，そのＩＤコードが先に図２で説明した管理サーバ１６に送られる。管理サーバ１６は，こうして入力されたＩＤコードを記憶し，当該ＩＤコードを持ったコインＣが貸し出されたことを認識する。なお，投入口３０に投入された紙幣Ｅが真正でない場合は，その紙幣Ｅは再び投入口３０を経て外部に返却され，この場合はゲート３７は閉じたままであり，コインＣは排出されない。
【００３７】
こうしてコインＣを借り受けた顧客は，次に自分の気に入ったパチンコ台１２を選ぶなどし，パチンコ台１２に隣接して配置された玉貸し機１３の投入口４０にコインＣを投入する。こうして玉貸し機１３に投入されたコインＣは自重でコイン識別機４６に落下し，コイン識別機４６によってＩＤコードを読み取って，そのＩＤコードを先に図２で説明した管理サーバ１６に送る。管理サーバ１６は，こうして送信されたＩＤコードが，貸し出し中のコインＣに一致するか否かを確認し，ＩＤコードが正しい（貸し出し中のコインＣのＩＤコードである）ことを確認した場合は，コイン識別機４６に「回収」の信号を送ると共に，定量移出機構５２に「排出」の信号を入力する。また，こうして「回収」の信号を受け取ったコイン識別機４６は，通路４７を経て自重でコインＣを落下させて，パチンコ島１１内部のコインコンベア２２にコインＣを受け渡す。こうしてコインコンベア２２に受け渡されたコインＣは，パチンコ島１１端部のコイン貸し機１４まで搬送され，コインストッカー３５に供給される。また管理サーバ１６から定量移出機構５２に「排出」の信号が入力されたことにより，パチンコ玉が通路５１を経て排出口４２に定量排出される。本実施の形態では，一枚のコインＣに対して１０００円分のパチンコ玉が排出口４２から排出される。なおこの場合，コイン貸し機１４から貸し出されたコインＣであっても当日限りの有効期限が過ぎたものについては，パチンコ玉を貸し出さないようにすることもできる。
【００３８】
一方，投入口４０から投入されたコインＣについて，コイン識別機４６がＩＤコードを読み取れなかった場合や，コイン識別機４６によってＩＤコードを読み取ったが，そのＩＤコードが管理サーバ１６において記憶されている貸し出し中のコインＣのＩＤコードに一致しなかった場合は，管理サーバ１６はコイン識別機４６に「返却」の信号を送る。こうして「返却」の信号を受け取ったコイン識別機４６は，通路４８を経て自重でコインＣを落下させ，玉貸し機１３前面の返却口４１にコインＣを排出させる。またこの場合は，定量移出機構５２には「排出」の信号を送らず，定量移出機構５２はパチンコ玉を排出しない。
【００３９】
そして，パチンコ玉を借り受けた顧客は，そのパチンコ玉を利用して，自分の気に入ったパチンコ台１２において遊技を行う。そして，遊技を終了した顧客は，パチンコ台から払い出されたパチンコ玉を図示しない計数機に投入し，その数に応じて景品を取得することができる。
【００４０】
そして，遊技終了後においてもコインＣを所持している顧客は，不要となったコインＣをコイン精算機１５の投入口６０に投入する。こうしてコイン精算機１５に投入されたコインＣは自重でコイン識別機６４に落下し，コイン識別機６４によってＩＤコードが読み取られて，そのＩＤコードが先に図２で説明した管理サーバ１６に送られる。管理サーバ１６は，こうして送信されたＩＤコードが，貸し出し中のコインＣに一致するか否かを確認し，ＩＤコードが正しい（貸し出し中のコインＣのＩＤコードである）ことを確認した場合は，コイン識別機６４に「回収」の信号を送ると共に，支払い装置６７に「支払い」の信号を入力する。また，こうして「回収」の信号を受け取ったコイン識別機６４は，通路６５を経て自重でコインＣを落下させて，パチンコ島１１内部のコインコンベア２２にコインＣを受け渡す。コインコンベア２２に受け渡されたコインＣは，パチンコ島１１端部のコイン貸し機１４まで搬送され，コインストッカー３５に供給される。また管理サーバ１６から支払い装置６７に「支払い」の信号が入力されたことにより，投入されたコインＣの枚数に応じた紙幣Ｅが払い出し口６２を経て支払われる。これにより，顧客は使わなかったコインＣを精算することができる。なお本実施の形態では，一枚のコインＣに対して１０００円分の金銭（例えば１０００円札一枚）が支払われる。
【００４１】
一方，投入口６０から投入されたコインＣについて，コイン識別機６４がＩＤコードを読み取れなかった場合や，コイン識別機６４によってＩＤコードを読み取ったが，そのＩＤコードが管理サーバ１６において記憶されている貸し出し中のコインＣのＩＤコードに一致しなかった場合は，管理サーバ１６はコイン識別機６４に「返却」の信号を送る。これにより，通路６６を経て自重でコインＣが落下して，コイン精算機１５前面の返却口６１に排出される。またこの場合は，支払い装置６７は支払いを行わない。なお，コイン貸し機１４から貸し出されたコインＣであっても当日限りの有効期限が過ぎたものについては，支払いを行わないようにすることもできる。
【００４２】
従って，この第１の実施の形態の遊技システム１０によれば，高価な紙幣用の識別機を玉貸し機１３に設ける必要が無く，パチンコホール全体の構築コストを低廉にすることができるようになる。またコインＣは，紙幣やプリペードカードに比べて搬送が容易であるので，パチンコ島１１の内部に設置されるコインコンベア２２は構造が簡単となり，従来のように紙幣やカード等も搬送しなければならない複雑なコンベアを省けるので，メンテナンスが容易であり，パチンコホール全体の構築コストをより低廉にすることができるようになる。
【００４３】
またコインＣに内蔵されるメモリ２はマスクＲＯＭなどの読み出し専用メモリ（ＲＯＭ）であるので，偽造の心配も極めて少ない。この場合，ＩＤコードを暗号化処理してメモリ２に記憶すれば，偽造はほとんど不可能である。特に，コインＣの使用期限を当日限りとすれば，コインＣに変造を加えることが時間的に困難であり，不正使用を有効に防止できる。また合成樹脂などで成形されたコインＣは耐久性に優れ，汚れた場合は，洗浄機などで洗うことも可能である。
【００４４】
次に図８は，コインＣを利用した本発明の第２の実施の形態にかかる遊技システム８０の全体構成を概略的に示す説明図である。この第２の実施の形態も，遊技店の一例としてパチンコホールに本発明を適用したシステムを示している。この第２の実施の形態では，先に図２で説明した第１の実施の形態の遊技システム１０において，玉貸し機１３の代わりに，玉貸し機８１を用いた構成になっている。その他の点については，第２の実施の形態の遊技システム８０は先に図２で説明した第１の実施の形態の遊技システム１０と同様の構成を有しており，第２の実施の形態の遊技システム８０において，第１の実施の形態の遊技システム１０と同じ構成要素については，図２と同じ符号を付することにより，重複した説明を省略する。
【００４５】
図９はこの第２の実施の形態で用いられる玉貸し機８１の斜視図であり，図１０は玉貸し機８１の内部構造の説明図である。玉貸し機８１の前面には，上から順にコインＣの投入口８２，１０００円用セレクトボタン８３，５００円用セレクトボタン８４，コインＣの返却口８５，パチンコ玉の排出口８６が設けられている。図１０に示すように，投入口８２に投入されたコインＣは通路９０を経て自重でコイン識別機９１に落下するようになっている。図示はしないが，コイン識別機９１は，先に図１で説明したコインＣに内蔵されているメモリ２を駆動させる電気エネルギーを送信すると共にメモリ２に記憶されたＩＤコードを電波を媒体として受信するための送受信アンテナや，受信したＩＤコードを読み取るＩＤ読み取り部を備えている。そして，投入口８２及び通路９０を経てコイン識別機９１にコインＣが投入され，コイン識別機９１によってＩＤコードを読み取ると，そのＩＤコードを図８に示した管理サーバ１６に送るようになっている。また，このようにコインＣが投入された状態において１０００円用セレクトボタン８３や５００円用セレクトボタン８４が押されると，その信号も管理サーバ１６に送られるようになっている。
【００４６】
管理サーバ１６は，こうしてコイン識別機９１から送信されたＩＤコードが貸し出し中のコインＣに一致するか否かを確認するようになっている。また管理サーバ１６には，そのＩＤコードのコインＣについての残額が記憶されている。例えば本実施の形態のように１０００円に対して一枚のコインＣを貸し出す場合について説明すれば，そのＩＤコードのコインＣがまだ一度も使用されていない場合は，管理サーバ１６は，そのＩＤコードのコインＣについて１０００円の残額を記憶している。一方，そのＩＤコードのコインＣが既に使用されて５００円分のパチンコ玉を貸し出している場合は，管理サーバ１６は，そのＩＤコードのコインＣについて５００円の残額を記憶している。
【００４７】
そして管理サーバ１６は，コイン識別機９１からＩＤコードが送信されると，そのＩＤコードが貸し出し中のコインＣに一致するか否かを確認すると共に，ＩＤコードに基づいて，そのコインＣの残額を調べ，１０００円用セレクトボタン８３と５００円用セレクトボタン８４のいずれが押されたかに基づいて，パチンコ玉の貸し出しを制御する。
【００４８】
即ち，投入口８２から投入されたコインＣの残額が１０００円である場合に１０００円用セレクトボタン８３が押されたときは，管理サーバ１６は，後に説明する定量移出機構９９に１０００円分のパチンコ玉を「排出」させる信号を入力する。この場合，管理サーバ１６は，コイン識別機９１に「回収」の信号を送り，「回収」の信号を受け取ったコイン識別機９１は，通路９５を経て自重でコインＣを落下させて，パチンコ島１１内部のコインコンベア２２にコインＣを受け渡すようになっている。
【００４９】
また投入口８２から投入されたコインＣの残額が１０００円である場合に５００円用セレクトボタン８３が押されたときは，管理サーバ１６は，後に説明する定量移出機構９９に５００円分のパチンコ玉を「排出」させる信号を入力し，また管理サーバ１６は，そのＩＤコードのコインＣについての残額を１０００円から５００円に書き換える。この場合は，管理サーバ１６はコイン識別機９１に「返却」の信号を送り，「返却」の信号を受け取ったコイン識別機９１は，通路９６を経て自重でコインＣを落下させて，玉貸し機８１前面の返却口８５にコインＣを排出させるようになっている。なおこの場合，コイン識別機９１に「返却」の信号を送らずにコインＣをそのままコイン識別機９１に保持しておき，再び５００円用セレクトボタン８３が押されたときに，後に説明する定量移出機構９９に５００円分のパチンコ玉を「排出」させる信号を入力すると共に，コイン識別機９１に「回収」の信号を送り，通路９５を経て自重でコインＣを落下させてパチンコ島１１内部のコインコンベア２２に受け渡すようにしても良い。
【００５０】
また投入口８２から投入されたコインＣの残額が５００円である場合に５００円用セレクトボタン８３が押されたときは，管理サーバ１６は，後に説明する定量移出機構９９に５００円分のパチンコ玉を「排出」させる信号を入力する。また管理サーバ１６は，コイン識別機９１に「回収」の信号を送り，「回収」の信号を受け取ったコイン識別機９１は，通路９５を経て自重でコインＣを落下させて，パチンコ島１１内部のコインコンベア２２にコインＣを受け渡すようになっている。なお，投入口８２から投入されたコインＣの残額が５００円である場合に１０００円用セレクトボタン８２が押されたときは，例えば警告音の発生や警告灯の点灯などによって顧客に残金が不足していることを知らしめ，５００円用セレクトボタン８３を押すことを促すようになっている。
【００５１】
一方，投入口８２から投入されたコインＣについて，コイン識別機９１がＩＤコードを読み取れなかった場合や，コイン識別機９１によってＩＤコードを読み取ったが，そのＩＤコードが管理サーバ１６において記憶されている貸し出し中のコインＣのＩＤコードに一致しなかった場合は，管理サーバ１６はコイン識別機９１に「返却」の信号を送り，この場合は，定量移出機構９９には「排出」の信号を送らない。また，こうして「返却」の信号を受け取ったコイン識別機９１は，通路９６を経て自重でコインＣを落下させて，玉貸し機８１前面の返却口８５にコインＣを排出させるようになっている。
【００５２】
排出口８６には，パチンコ玉を供給する通路９８が接続されている。通路９８の途中には例えばスターホイルなどによって構成される定量移出機構９９が設けられており，この定量移出機構９９の動作は，管理サーバ１６によって制御されている。そして管理サーバ１６は，コイン識別機９１から送信されたＩＤコードが正しいことを確認した場合は，先に説明したように５００円分もしくは１０００円分のパチンコ玉を「排出」させる信号を定量移出機構９９に入力し，これにより，パチンコ玉が通路９８を経て排出口８６に排出されるようになっている。この実施の形態では，管理サーバ１６から５００円分の「排出」の信号が定量移出機構５２に入力された場合は，５００円分のパチンコ玉が排出口８６から排出され，管理サーバ１６から１０００円分の「排出」の信号が定量移出機構５２に入力された場合は，１０００円分のパチンコ玉が排出口８６から排出されるようになっている。一方，投入口８２に投入されたコインＣよって正しいＩＤコードが識別されなかった場合は，定量移出機構９９はパチンコ玉を排出させない。
【００５３】
さて，以上のように構成された本発明の第２の実施の形態にかかる遊技システム８０にあっても同様に，パチンコホールに入場した顧客は先ずコイン貸し機１４の投入口３０に金銭（例えば紙幣Ｅ）を投入し，コインＣの貸し出しを受ける。この場合，貸し出されたコインＣに内蔵されたメモリ２からＩＤコードが読み取られて，そのＩＤコードが管理サーバ１６に送られる。管理サーバ１６は，こうして入力されたＩＤコードを記憶し，当該ＩＤコードを持ったコインＣが貸し出されたことを認識する。また管理サーバ１６は，そのＩＤコードのコインＣについて１０００円の残額を記憶する。なお，投入口３０に投入された紙幣Ｅが真正でない場合は，その紙幣Ｅは再び投入口３０を経て外部に返却され，この場合はコインＣは排出されない。
【００５４】
一方，顧客は玉貸し機８１の投入口８２にコインＣを投入する。そして，コイン識別機９１によって読み取られたＩＤコードが管理サーバ１６に送られる。管理サーバ１６は，こうして送信されたＩＤコードが，貸し出し中のコインＣに一致するか否かを確認すると共に，ＩＤコードに基づいて，そのコインＣの残額を調べ，１０００円用セレクトボタン８３と５００円用セレクトボタン８４のいずれが押されたかによって，パチンコ玉を貸し出すか否かを判定する。
【００５５】
即ち，投入口８２から投入されたコインＣの残額が１０００円である場合に１０００円用セレクトボタン８３が押されたときは，管理サーバ１６は定量移出機構９９に１０００円分の「排出」の信号を入力し，１０００円分のパチンコ玉が排出口８６から排出される。また管理サーバ１６は，コイン識別機９１に「回収」の信号を送り，コイン識別機９１は，通路９５を経てパチンコ島１１内部のコインコンベア２２にコインＣを受け渡す。こうしてコインコンベア２２に受け渡されたコインＣは，パチンコ島１１端部のコイン貸し機１４まで搬送され，コインストッカー３５に供給される。
【００５６】
また投入口８２から投入されたコインＣの残額が１０００円である場合に５００円用セレクトボタン８４が押されたときは，管理サーバ１６は定量移出機構９９に５００円分の「排出」の信号を入力し，５００円分のパチンコ玉が排出口８６から排出される。また管理サーバ１６は，そのＩＤコードのコインＣについての残額を１０００円から５００円に書き換える。またこの場合は，管理サーバ１６はコイン識別機９１に「返却」の信号を送り，コイン識別機９１は通路９６を経てコインＣを返却口８５に排出させる。なおこの場合，コイン識別機９１に「返却」の信号を送らずにコインＣをそのままコイン識別機９１に保持しておき，再び５００円用セレクトボタン８３が押されたときに，定量移出機構９９に５００円分の「排出」の信号を入力して５００円分のパチンコ玉を排出口８６から排出し，コイン識別機９１に「回収」の信号を送ってコインＣをコインコンベア２２に受け渡しても良い。
【００５７】
また，投入口８２から投入されたコインＣの残額が５００円である場合に５００円用セレクトボタン８３が押されたときは，管理サーバ１６は定量移出機構９９に５００円分の「排出」の信号を入力し，５００円分のパチンコ玉が排出口８６から排出される。また管理サーバ１６は，コイン識別機９１に「回収」の信号を送り，コイン識別機９１は，通路９５を経てパチンコ島１１内部のコインコンベア２２にコインＣを受け渡す。こうしてコインコンベア２２に受け渡されたコインＣは，パチンコ島１１端部のコイン貸し機１４まで搬送され，コインストッカー３５に供給される。なお，投入口８２から投入されたコインＣの残額が５００円である場合に１０００円用セレクトボタン８２が押されたときは，例えば警告音の発生や警告灯の点灯などによって顧客に残金が不足していることを知らしめ，５００円用セレクトボタン８３を押すように促す。
【００５８】
一方，投入口８２から投入されたコインＣについて，コイン識別機９１がＩＤコードを読み取れなかった場合や，読み取ったＩＤコードが管理サーバ１６において記憶されている貸し出し中のコインＣのＩＤコードに一致しなかった場合は，管理サーバ１６はコイン識別機９１に「返却」の信号を送る。コイン識別機９１は，コインＣを玉貸し機１３前面の返却口８５に排出させる。この場合は，定量移出機構９９には「排出」の信号を送らず，パチンコ玉を排出しない。
【００５９】
そして，パチンコ玉を借り受けた顧客は，そのパチンコ玉を利用して，自分の気に入ったパチンコ台１２において遊技を行い，獲得したパチンコ玉によって景品を取得することができる。また，遊技終了後においてもコインＣを所持している顧客は，不要となったコインＣをコイン精算機１５の投入口６０に投入して，精算することができる。この場合，管理サーバ１６は，コイン精算機１５に投入されたコインＣのＩＤコードに基づいてコインＣについての残額を調べ，そのＩＤコードのコインＣがまだ一度も使用されていなくて１０００円の残額が記憶されている場合は，コイン精算機１５の払い出し口６２から１０００円を支払い，一方，そのＩＤコードのコインＣが既に使用されて５００円の残額が記憶されている場合は，コイン精算機１５の払い出し口６２から５００円を支払う。
【００６０】
従って，この第２の実施の形態の遊技システム８０によっても，先に説明した第１の実施の形態の遊技システム１０と同様に，パチンコホール全体の構築コストを低廉にすることができる。加えて，この第２の実施の形態の遊技システム８０によれば，１０００円用セレクトボタン８３と５００円用セレクトボタン８４を選択することにより，顧客は自分の必要なだけパチンコ玉を借り受けることができ，より汎用性が高くて便利である。
【００６１】
次に図１１は，コインＣを利用した本発明の第３の実施の形態にかかる遊技システム１００の全体構成を概略的に示す説明図である。この第３の実施の形態も，遊技店の一例としてパチンコホールに本発明を適用したシステムを示している。この第３の実施の形態では，先に図２で説明した第１の実施の遊技システム１０において，玉貸し機１３の代わりに，玉貸し機１０１を用いた構成になっている。その他の点については，第３の実施の形態の遊技システム１００は先に図２で説明した第１の実施の形態の遊技システム１０と同様の構成を有しており，第３の実施の形態の遊技システム１００において，第１の実施の形態の遊技システム１０と同じ構成要素については，図２と同じ符号を付することにより，重複した説明を省略する。
【００６２】
図１２はこの第３の実施の形態で用いられる玉貸し機１０１の斜視図であり，図１３は玉貸し機１０１の内部構造の説明図である。玉貸し機１０１の前面には，上から順にコインＣの投入口１０２，表示部１０３，セレクトボタン１０４，返却ボタン１０５，コインＣの返却口１０６，パチンコ玉の排出口１０７が設けられている。図１３に示すように，投入口１０２に投入されたコインＣは通路１１０を経て自重でコイン識別機１１１に落下するようになっている。図示はしないが，コイン識別機１１１は，先に図１で説明したコインＣに内蔵されているメモリ２を駆動させる電気エネルギーを送信すると共にメモリ２に記憶されたＩＤコードを電波を媒体として受信するための送受信アンテナや，受信したＩＤコードを読み取るＩＤ読み取り部を備えている。そして，投入口１０２及び通路１１０を経てコイン識別機１１１にコインＣが投入されて，コイン識別機１１１によってＩＤコードを読み取ると，そのＩＤコードを図１１に示した管理サーバ１６に送るようになっている。また，このようにコインＣが投入された状態においてセレクトボタン１０４が押されると，それが管理サーバ１６に送られるようになっている。
【００６３】
管理サーバ１６は，こうしてコイン識別機１１１から送信されたＩＤコードが貸し出し中のコインＣに一致するか否かを確認するようになっている。また管理サーバ１６には，そのＩＤコードのコインＣについての残額が記憶されている。例えば本実施の形態のように１０００円に対して一枚のコインＣを貸し出す場合について説明すれば，そのＩＤコードのコインＣがまだ使用されていない場合は，管理サーバ１６は，そのＩＤコードのコインＣについて１０００円の残額を記憶している。一方，そのＩＤコードのコインＣが既に使用されて所定分（９００円分以下）のパチンコ玉を貸し出している場合は，管理サーバ１６は，そのＩＤコードのコインＣについての残額（１０００円から貸出分を差し引いた額）を記憶している。
【００６４】
そして管理サーバ１６は，コイン識別機１１１からＩＤコードが送信されると，そのＩＤコードが貸し出し中のコインＣに一致するか否かを確認すると共に，ＩＤコードに基づいて，そのコインＣの残額を調べ，セレクトボタン１０４の押された回数に基づいて，パチンコ玉の貸し出しを制御する。即ち，投入口８２からコインＣが投入され，セレクトボタン１０４が押された場合，コインＣの残額が無くなるまで（０になるまで）は，管理サーバ１６は，セレクトボタン１０４が押される毎に，後に説明する定量移出機構１１９に１００円分のパチンコ玉を「排出」させる信号を入力すると共に，そのＩＤコードのコインＣについての残額を１００円ずつ差し引く。このようにしてセレクトボタン１０４が一回押される毎に，そのＩＤコードのコインＣについての残額が１００円ずつ差し引かれていき，コインＣの残額が無くなったとき（０になったとき）は，管理サーバ１６は，コイン識別機１１１に「回収」の信号を送り，「回収」の信号を受け取ったコイン識別機１１１は，通路１１５を経て自重でコインＣを落下させて，パチンコ島１１内部のコインコンベア２２にコインＣを受け渡すようになっている。
【００６５】
また，コインＣの残額がまだ残っている場合に返却ボタン１０５が押されたときは，管理サーバ１６はコイン識別機１１１に「返却」の信号を送り，「返却」の信号を受け取ったコイン識別機１１１は，通路１１６を経て自重でコインＣを落下させて，玉貸し機１０１前面の返却口１０６にコインＣを排出させるようになっている。この場合，管理サーバ１６には，そのＩＤコードのコインＣについての残額が記憶されるようになっている。
【００６６】
一方，投入口１０２から投入されたコインＣについて，コイン識別機１１１がＩＤコードを読み取れなかった場合や，コイン識別機１１１によってＩＤコードを読み取ったが，そのＩＤコードが管理サーバ１６において記憶されている貸し出し中のコインＣのＩＤコードに一致しなかった場合は，管理サーバ１６はコイン識別機１１１に「返却」の信号を送り，この場合は，定量移出機構１１９には「排出」の信号を送らない。また，こうして「返却」の信号を受け取ったコイン識別機１１１は，通路１１６を経て自重でコインＣを落下させて，玉貸し機１０１前面の返却口１０６にコインＣを排出させるようになっている。
【００６７】
排出口１０７には，パチンコ玉を供給する通路１１８が接続されている。通路１１８の途中には例えばスターホイルなどによって構成される定量移出機構１１９が設けられており，この定量移出機構１１９の動作は，管理サーバ１６によって制御されている。投入口１０２からコインＣが投入され，コイン識別機１１１から送信されたＩＤコードが正しいことを確認した場合は，先に説明したように，
コインＣの残額が無くなるまで（０になるまで）は，管理サーバ１６は，セレクトボタン１０４が一回押される毎に，１００円分のパチンコ玉を「排出」させる信号を定量移出機構１１９に入力し，これにより，セレクトボタン１０４を押した回数に応じた量のパチンコ玉が通路１１８を経て排出口１０７に排出されるようになっている。一方，投入口１０２に投入されたコインＣよって正しいＩＤコードが識別されなかった場合は，定量移出機構１１９はパチンコ玉を排出させない。
【００６８】
さて，以上のように構成された本発明の第３の実施の形態にかかる遊技システム１００にあっても同様に，パチンコホールに入場した顧客は先ずコイン貸し機１４の投入口３０に金銭（例えば紙幣Ｅ）を投入し，コインＣの貸し出しを受ける。この場合，貸し出されたコインＣに内蔵されたメモリ２からＩＤコードが読み取られて，そのＩＤコードが管理サーバ１６に送られる。管理サーバ１６は，こうして入力されたＩＤコードを記憶し，当該ＩＤコードを持ったコインＣが貸し出されたことを認識する。また管理サーバ１６は，そのＩＤコードのコインＣについて１０００円の残額を記憶する。なお，投入口３０に投入された紙幣Ｅが真正でない場合は，その紙幣Ｅは再び投入口３０を経て外部に返却され，この場合はコインＣは排出されない。
【００６９】
一方，顧客は玉貸し機１０１の投入口１０２にコインＣを投入する。そして，コイン識別機１１１によって読み取られたＩＤコードが管理サーバ１６に送られる。管理サーバ１６は，こうして送信されたＩＤコードが，貸し出し中のコインＣに一致するか否かを確認すると共に，ＩＤコードに基づいて，そのコインＣの残額を調べる。
【００７０】
そして，投入口８２から投入されたコインＣが正しい（貸し出し中である）場合にセレクトボタン１０４が押されたときは，コインＣの残額が無くなるまで（０になるまで）は，管理サーバ１６は，セレクトボタン１０４が押される毎に，定量移出機構１１９に１００円分のパチンコ玉を「排出」させる信号を入力すると共に，そのＩＤコードのコインＣについての残額を１００円ずつ差し引いていく。これにより，顧客はセレクトボタン１０４を押した回数に応じたパチンコ玉を排出口８６から排出させて借り出すことができる。そして，コインＣの残額が無くなったとき（０になったとき）は，管理サーバ１６は，コイン識別機１１１に「回収」の信号を送り，コイン識別機１１１は，通路１１５を経てコインＣをパチンコ島１１内部のコインコンベア２２にコインＣを受け渡す。こうしてコインコンベア２２に受け渡されたコインＣは，パチンコ島１１端部のコイン貸し機１４まで搬送され，コインストッカー３５に供給される。
【００７１】
また，コインＣの残額がまだ残っている場合に返却ボタン１０５が押されたときは，管理サーバ１６はコイン識別機１１１に「返却」の信号を送り，「返却」の信号を受け取ったコイン識別機１１１は，通路１１６を経て自重でコインＣを落下させて，玉貸し機１０１前面の返却口１０６にコインＣを排出させる。この場合，管理サーバ１６には，そのＩＤコードのコインＣについての残額が記憶される。
【００７２】
一方，投入口１０２から投入されたコインＣについて，コイン識別機１１１がＩＤコードを読み取れなかった場合や，読み取ったＩＤコードが管理サーバ１６において記憶されている貸し出し中のコインＣのＩＤコードに一致しなかった場合は，管理サーバ１６はコイン識別機１１１に「返却」の信号を送る。コイン識別機１１１は，コインＣを玉貸し機１３前面の返却口１０６に排出させる。この場合は，定量移出機構１１９には「排出」の信号を送らず，パチンコ玉を排出しない。
【００７３】
そして，パチンコ玉を借り受けた顧客は，そのパチンコ玉を利用して，自分の気に入ったパチンコ台１２において遊技を行い，獲得したパチンコ玉によって景品を取得することができる。また，遊技終了後においてもコインＣを所持している顧客は，不要となったコインＣをコイン精算機１５の投入口６０に投入して，精算することができる。この場合，管理サーバ１６は，コイン精算機１５に投入されたコインＣのＩＤコードに基づいてコインＣについての残額を調べ，その残額の金銭をコイン精算機１５の払い出し口６２から支払う。
【００７４】
従って，この第３の実施の形態の遊技システム１００によっても，先に説明した第１，２の実施の形態の遊技システム１０，８０と同様に，パチンコホール全体の構築コストを低廉にすることができる。加えて，この第３の実施の形態の遊技システム１００によれば，セレクトボタン１０３を押した回数によって，顧客は自分の必要なだけパチンコ玉を借り受けることができ，より汎用性が高くて便利である。なお，この第３の実施の形態の遊技システム１００では，セレクトボタン１０４が一回押される毎に，１００円分のパチンコ玉を排出させる例を説明したが，パチンコ玉の排出量は１００円分に限られない。例えばセレクトボタン１０４が一回押される毎に，２００円分もしくはそれ以上のパチンコ玉を排出させても良い。
【００７５】
次に図１４は，いわゆるＣＲ機と呼ばれるパチンコ台１２０を備えたパチンコ島１２１の正面図である。各パチンコ台１２０の間には玉貸し機１２２が配置されている。この玉貸し機１２２の前面には，先に図１２，１３で説明した玉貸し機１０１と同様に，上から順にコインＣの投入口１２３，表示部１２４，セレクトボタン１２５，返却ボタン１２６，コインＣの返却口１２７が設けられている。但し，この玉貸し機１２２の前面には，パチンコ玉の排出口はなく，図１４において各玉貸し機１２２の右側に位置するパチンコ台１２０に対してパチンコ玉をそれぞれ直接供給して貸し出すようになっている。本発明は，このようなＣＲ機と呼ばれるパチンコ台１２０を備えた遊技システムにも適用できることは勿論である。
【００７６】
以上，本発明の好ましい実施の形態を例を挙げて説明したが，本発明はここで説明した形態に限定されない。例えばコインＣは，１０００円に対応するものに限らず，その他の任意の金額に対応させても良い。また顧客の選択によって，例えば１０００円に対応するコインＣと５００円に対応するコインＣなど，複数の種類のコインＣをコイン貸し機１４によって貸し出すようにしても良く，コインＣは１種類である必要はない。この場合，例えば１０００円に対応するコインＣは赤くし，また例えば５００円に対応するコインＣは黄色くするなどといったように，金額によって色分けすれば，視覚的な識別が容易であり，また金額に応じてコインＣの大きさを変えても良い。更に印刷や成形などによって金額をコインＣの表面に表しておいても良い。
【００７７】
また遊技システム１０，８０，１００において，玉貸し機１３，８１，１０１は，コインＣの投入だけによってパチンコ玉の貸し出しを行うものである必要はなく，その他，通常の硬貨など（場合によっては紙幣やカードなど）の投入によってもパチンコ玉の貸し出しができるものであってもよい。この場合，パチンコ島１１の内部においてコインＣと硬貨などをコインコンベア２２によって一緒に搬送することも可能である。また玉貸し機１３，８１は，必ずしもパチンコ台１２の台間に設けられるものでなくても良く，パチンコ台１２から離れた位置に配置してあっても良い。またコイン貸し機１４は，１０００円の紙幣Ｅの投入によってコインＣを排出するものである場合に限らず，例えば１００００円や５０００円の紙幣が投入された場合に，顧客が選択した枚数のコインＣを貸し出し，釣銭を出すようにしても良い。また硬貨の投入によってもコインＣを貸し出すようにしても良い。
【００７８】
また，以上に説明した遊技システム１０，８０，１００は，本発明をパチンコホールに適用したシステムであったが，本発明のコインＣによってスロットマシン等のゲーム機で使用されるメダルなど他の遊技媒体を貸し出すようにすることもできる。また，本発明はパチンコホールに限らず，ゲームセンターなどの他の遊技店において適用することもできる。
【図面の簡単な説明】
【００７９】
【図１】本発明の各実施例で使用される金銭代用円盤状体（コイン）の内部構造を示す説明図である。
【図２】本発明の第１の実施の形態にかかる遊技システムの説明図である。
【図３】パチンコ島の正面図である。
【図４】コイン貸し機の内部構造の説明図である。
【図５】玉貸し機の斜視図である。
【図６】玉貸し機の内部構造の説明図である。
【図７】コイン精算機の内部構造の説明図である。
【図８】本発明の第２の実施の形態にかかる遊技システムの説明図である。
【図９】玉貸し機の斜視図である。
【図１０】玉貸し機の内部構造の説明図である。
【図１１】本発明の第３の実施の形態にかかる遊技システムの説明図である。
【図１２】玉貸し機の斜視図である。
【図１３】玉貸し機の内部構造の説明図である。
【図１４】ＣＲ機と呼ばれるパチンコ台を備えたパチンコ島の正面図である。
【図１５】従来のパチンコ島の内部に設けられた紙幣のコンベアの説明図である。
【符号の説明】
【００８０】
Ｃ    金銭代用円盤状体（コイン）
１    電子部品
２    メモリ
３    回路基板
４    アンテナコイル
１０  遊技システム
１１  パチンコ島
１２  パチンコ台
１３  台間玉貸し機
１４  コイン貸し機
１５  コイン精算機
１６  ＣＰＵ
２０  供給樋
２１  排出樋
２２  コインコンベア
２３  硬貨コンベア
８０  遊技システム
８１  玉貸し機
【図１】
2006212454.tif 000003
【図２】
2006212454.tif 000004
【図３】
2006212454.tif 000005
【図４】
2006212454.tif 000006
【図５】
2006212454.tif 000007
【図６】
2006212454.tif 000008
【図７】
2006212454.tif 000009
【図８】
2006212454.tif 000010
【図９】
2006212454.tif 000011
【図１０】
2006212454.tif 000012
【図１１】
2006212454.tif 000013
【図１２】
2006212454.tif 000014
【図１３】
2006212454.tif 000015
【図１４】
2006212454.tif 000016
【図１５】
2006212454.tif 000017